(57)【要約】【課題】従来よりも精度良く、基板のクラックや欠けの有無を検出する。【解決手段】第１の方向に搬送される基板を検査するための基板検査システムであって、容器と、前記容器内に設置され、基板を支持するための基板支持機構と、前記基板の位置を表す基板位置情報を取得するための基板位置情報取得手段と、前記基板を検査するための基板検査手段と、前記基板位置情報に基づいて、前記基板支持機構及び前記基板検査手段の少なくとも一つを駆動する駆動手段と、を有し、前記基板位置情報は、前記第１の方向と交差し、前記基板支持機構の基板支持面に平行な第２の方向における基板の位置情報を含むことを特徴とする基板検査システム。【選択図】図２
2020003469.tif 000002
【特許請求の範囲】
【請求項１】
第１の方向に搬送される基板を検査するための基板検査システムであって、
容器と、
前記容器内に設置され、基板を支持するための基板支持機構と、
前記基板の位置を表す基板位置情報を取得するための基板位置情報取得手段と、
前記基板を検査するための基板検査手段と、
前記基板位置情報に基づいて、前記基板支持機構及び前記基板検査手段の少なくとも一つを駆動する駆動手段と、
を有し、
前記基板位置情報は、前記第１の方向と交差し、前記基板支持機構の基板支持面に平行な第２の方向における基板の位置情報を含むことを特徴とする基板検査システム。
【請求項２】
前記駆動手段は、前記基板位置情報に基づいて前記基板支持機構及び前記基板検査手段の少なくとも一つを駆動することで、前記基板検査手段による検査領域を前記容器内で移動させることを特徴とする請求項１に記載の基板検査システム。
【請求項３】
前記駆動手段は、前記基板位置情報に基づいて、前記基板検査手段を駆動することを特徴とする請求項１又は２に記載の基板検査システム。
【請求項４】
前記駆動手段は、前記基板位置情報取得手段により取得された前記基板位置情報に基づいて、前記基板検査手段の位置を調整することを特徴とする請求項３に記載の基板検査システム。
【請求項５】
前記駆動手段は、前記基板位置情報取得手段により取得された前記基板位置情報に基づいて、前記基板検査手段の角度を調整することを特徴とする請求項３に記載の基板検査システム。
【請求項６】
前記基板位置情報取得手段は、前記第１の方向において前記基板検査手段の上流側に設置されることを特徴とする請求項１から請求項５のいずれか１項に記載の基板検査システム。
【請求項７】
前記基板位置情報取得手段は、前記基板が前記基板支持機構に支持された状態で、前記基板位置情報を取得することができるように設置されることを特徴とする請求項１から請求項６のいずれか１項に記載の基板検査システム。
【請求項８】
前記基板位置情報取得手段は、前記基板の前記第２の方向におけるエッジの位置に関する情報を取得する手段であることを特徴とする請求項１から請求項７のいずれか１項に記載の基板検査システム。
【請求項９】
前記基板位置情報取得手段は、カメラを有し、前記カメラにより取得された画像に基づいて、前記基板の前記第２の方向におけるエッジの位置に関する情報を取得することを特徴とする請求項１から請求項８のいずれか１項に記載の基板検査システム。
【請求項１０】
前記容器は、
前記基板が前記第１の方向における上流側から搬入される基板搬入口と、
前記基板が前記第１の方向における下流側に搬出される基板搬出口と、
を有することを特徴とする請求項１から請求項９のいずれか１項に記載の基板検査システム。
【請求項１１】
前記基板位置情報取得手段は、前記容器の前記第１の方向における中央部を基準に前記基板搬入口側に設置され、
前記基板検査手段は、前記中央部を基準に前記基板搬出口側に設置されることを特徴とする請求項１０に記載の基板検査システム。
【請求項１２】
前記基板位置情報は、前記第１の方向及び前記第２の方向と交差する第３の方向を軸とする回転方向における基板の位置に関する情報を含み、
前記駆動手段は、前記基板位置情報及び前記基板の第１の方向への搬送速度に基づいて、前記基板検査手段を連続的又は断続的に駆動することを特徴とする請求項１から請求項１１のいずれか１項に記載の基板検査システム。
【請求項１３】
前記駆動手段を制御する制御手段をさらに有し、
前記制御手段は、前記基板位置情報取得手段により取得された前記基板位置情報に基づいて、基準位置に対する前記基板の相対的位置ずれ量を算出し、
前記制御手段は、前記駆動手段が、前記相対的位置ずれ量に基づいて、前記基板支持機構を駆動するよう制御し、
前記基板位置情報は、前記第２の方向における前記基板の位置に関する情報と、前記第１の方向及び前記第２の方向と交差する第３の方向を軸とする回転方向における前記基板の位置に関する情報とを含むことを特徴とする請求項１から請求項１２のいずれか１項に記載の基板検査システム。
【請求項１４】
前記基板検査手段は、光学手段を有することを特徴とする請求項１から請求項１２のいずれか１項に記載の基板検査システム。
【請求項１５】
前記基板検査手段は、前記第２の方向に並んで配置される複数のレーザセンサを有することを特徴とする請求項１４に記載の基板検査システム。
【請求項１６】
前記容器の内部を真空状態に維持するための真空手段をさらに有することを特徴とする請求項１から請求項１５のいずれか１項に記載の基板検査システム。
【請求項１７】
第１の方向に搬送される基板を検査するための基板検査システムであって、
容器と、
前記基板の位置を表す基板位置情報を取得するための基板位置情報取得手段と、
前記基板を検査するための基板検査手段と、
前記基板位置情報に基づいて、搬送される前記基板と前記基板検査手段の相対位置を調整する調整手段と、
を有し、
前記基板位置情報は、第２の方向における前記基板の位置情報を有し、
前記第２の方向は、前記第１の方向と交差し、搬送される前記基板の主面に平行な方向であることを特徴とする基板検査システム。
【請求項１８】
前記調整手段は、前記基板位置情報に基づいて、前記基板検査手段を駆動する駆動手段であることを特徴とする請求項１７に記載の基板検査システム。
【請求項１９】
電子デバイスの製造装置であって、
基板にマスクを介して第１の材料を堆積させて成膜するための成膜装置を有する第１のクラスタ装置と、
基板にマスクを介して第２の材料を堆積させて成膜するための成膜装置を有する第２のクラスタ装置と、
前記第１のクラスタ装置から前記第２のクラスタ装置に搬送される基板を検査するため
の基板検査システムと、
を有し、
前記基板検査システムは、請求項１から請求項１８のいずれか１項に記載の基板検査システムであることを特徴とする電子デバイスの製造装置。
【請求項２０】
検査手段を用いて基板を検査するための基板検査方法であって、
基板を第１の方向に搬送して容器内に搬入する基板搬入工程と、
前記基板の位置情報を表す基板位置情報を取得する基板位置情報取得工程と、
取得された前記基板位置情報に基づいて、前記基板及び前記検査手段の少なくとも一つを駆動する駆動工程と、
前記検査手段で前記基板を検査する基板検査工程と、
を有し、
前記基板位置情報は、前記第１の方向と交差し、搬送される前記基板の主面に平行な第２の方向における前記基板の位置情報を含むことを特徴とする基板検査方法。
【請求項２１】
前記駆動工程においては、前記基板位置情報に基づいて、前記検査手段を駆動することを特徴とする請求項２０に記載の基板検査方法。
【請求項２２】
前記基板位置情報取得工程は、前記基板搬入工程において、前記基板が前記容器内に搬入される過程で行われることを特徴とする請求項２０又は請求項２１に記載の基板検査方法。
【請求項２３】
前記基板搬入工程の後に、前記容器内に搬入された前記基板を前記容器内の基板支持機構によって支持する基板支持工程をさらに有し、
前記基板位置情報取得工程は、前記基板支持工程の後に行われることを特徴とする請求項２０又は請求項２１に記載の基板検査方法。
【請求項２４】
前記基板位置情報取得工程においては、前記基板の前記第２の方向におけるエッジの位置に関する情報を取得することを特徴とする請求項２０から請求項２３のいずれか１項に記載の基板検査方法。
【請求項２５】
前記駆動工程においては、前記基板位置情報取得工程で取得された前記基板位置情報に基づいて、前記検査手段の位置を調整することを特徴とする請求項２０から請求項２４のいずれか１項に記載の基板検査方法。
【請求項２６】
前記駆動工程においては、前記基板位置情報取得工程で取得された前記基板位置情報に基づいて、前記検査手段の角度を調整することを特徴とする請求項２０から請求項２５のいずれか１項に記載の基板検査方法。
【請求項２７】
電子デバイスの製造方法であって、
基板にマスクを介して材料を堆積させて成膜する成膜工程と、
前記成膜工程の前又は後に、基板を検査する基板検査工程と、
を有し、
前記基板検査工程は、請求項２０から請求項２６のいずれか１項に記載の基板検査方法により行われることを特徴とする電子デバイスの製造方法。
【発明の詳細な説明】
【技術分野】
【０００１】
本発明は、製造装置内の基板の検査に関するものである。
【背景技術】
【０００２】
近年、フラットパネル表示装置として有機ＥＬ表示装置（有機ＥＬディスプレイ）が脚光を浴びている。有機ＥＬ表示装置は自発光ディスプレイであり、応答速度、視野角、薄型化などの特性が液晶パネルディスプレイより優れており、モニタ、テレビ、スマートフォンに代表される各種携帯端末などで既存の液晶パネルディスプレイに代わって普及している。また、自動車用ディスプレイなどにも、その応用分野を広げている。
【０００３】
有機ＥＬ表示装置を構成する有機ＥＬ素子（有機発光素子、ＯＬＥＤ：Organic Light Emitting Diode）は、２つの向かい合う電極（カソード電極、アノード電極）の間に発光を起こす有機物層である発光層を有する機能層が形成された基本構造を持つ。有機ＥＬ素子の機能層及び電極層は、例えば、それぞれの層を構成する材料を真空成膜装置内で、マスクを介して基板に成膜することで製造することができる。
【０００４】
有機ＥＬ素子は、基板を各成膜室に順次搬送しつつ、基板の被処理面上に電極及び各種機能層を順次形成することで製造される。有機ＥＬ素子の製造過程では、基板の撓みにより基板に加わる応力や基板の搬送過程での衝撃などにより、基板の周縁部に割れ目が入ったり、基板の周縁部の一部が欠けたりすることがある。この状態で、基板が継続的に応力や衝撃を受ける場合などには、基板全体が破損する恐れがある。基板の破損は、有機ＥＬ素子の製造装置全体の稼働停止を引き起こすため、有機ＥＬ素子の製造装置において、基板が破損に至る前に、基板の周縁部のクラックや欠けの有無を検査することが望まれる。
【０００５】
特許文献１には、プリント回路基板（ＰＣＢ：Printed Circuit Board）のクラックや
欠けの有無を検出するために、ＰＣＢの辺に沿って複数の電子センサを配置する構成を開示している。
【０００６】
しかし、基板の搬送時の搬送誤差により、基板が所定の位置や姿勢からずれた場合、基板のクラックや欠けの有無を精度良く検査することができない可能性がある。
【先行技術文献】
【特許文献】
【０００７】
【特許文献１】特開２０１６−１４８６６５号公報
【発明の概要】
【発明が解決しようとする課題】
【０００８】
本発明は、精度良く、基板のクラックや欠けの有無を検出することができる基板検査システム、これを有する電子デバイスの製造装置、基板検査方法、及びこれを有する電子デバイスの製造方法を提供することを目的とする。
【課題を解決するための手段】
【０００９】
本発明の第１の態様にかかる基板検査システムは、第１の方向に搬送される基板を検査するための基板検査システムであって、容器と、前記容器内に設置され、基板を支持するための基板支持機構と、前記基板の位置を表す基板位置情報を取得するための基板位置情報取得手段と、前記基板を検査するための基板検査手段と、前記基板位置情報に基づいて
、前記基板支持機構及び前記基板検査手段の少なくとも一つを駆動する駆動手段と、を有し、前記基板位置情報は、前記第１の方向と交差し、前記基板支持機構の基板支持面に平行な第２の方向における基板の位置情報を含むことを特徴とする。
【００１０】
本発明の第２の態様にかかる基板検査システムは、第１の方向に搬送される基板を検査するための基板検査システムであって、容器と、前記基板の位置を表す基板位置情報を取得するための基板位置情報取得手段と、前記基板を検査するための基板検査手段と、前記基板位置情報に基づいて、搬送される前記基板と前記基板検査手段の相対位置を調整する調整手段と、を有し、前記基板位置情報は、第２の方向における前記基板の位置情報を含み、前記第２の方向は、前記第１の方向と交差し、搬送される前記基板の主面に平行な方向であることを特徴とする。
【００１１】
本発明の第３の態様にかかる電子デバイスの製造装置は、基板にマスクを介して第１の材料を堆積させて成膜するための成膜装置を有する第１のクラスタ装置と、基板にマスクを介して第２の材料を堆積させて成膜するための成膜装置を有する第２のクラスタ装置と、前記第１のクラスタ装置から前記第２のクラスタ装置に搬送される基板を検査するための基板検査システムとを有し、前記基板検査システムは、本発明の第１又は第２の態様にかかる基板検査システムであることを特徴とする。
【００１２】
本発明の第４の態様にかかる基板検査方法は、検査手段を用いて基板を検査するための基板検査方法であって、基板を第１の方向に搬送して容器内に搬入する基板搬入工程と、前記基板の位置情報を表す基板位置情報を取得する基板位置情報取得工程と、取得された前記基板位置情報に基づいて、前記基板及び前記検査手段の少なくとも一つを駆動する駆動工程と、前記検査手段で前記基板を検査する基板検査工程と、を有し、前記基板位置情報は、前記第１の方向と交差し、搬送される前記基板の主面に平行な第２の方向における前記基板の位置情報を含むことを特徴とする。
【００１３】
本発明の第５の態様にかかる電子デバイスの製造方法は、基板にマスクを介して材料を堆積させて成膜する成膜工程と、前記成膜工程の前又は後に基板を検査する基板検査工程と、を有し、前記基板検査段階は、本発明の第４の態様にかかる基板検査方法により行われることを特徴とする。
【発明の効果】
【００１４】
本発明によれば、基板のクラックや欠けの有無の検査精度を向上させることができる。
【図面の簡単な説明】
【００１５】
【図１】電子デバイスの製造装置の構成の一例を示す模式図である。
【図２】本発明の第１の実施例による基板検査システムの側面図である。
【図３】本発明の第１の実施例による基板検査システムの上面図である。
【図４】本発明の第２の実施例による基板検査システムの模式図である。
【図５】電子デバイスを示す模式図である。
【発明を実施するための形態】
【００１６】
以下、図面を参照しつつ本発明の好適な実施形態及び実施例を説明する。ただし、以下の実施形態及び実施例は本発明の好ましい構成を例示的に示すものにすぎず、本発明の範囲はそれらの構成に限定されない。また、以下の説明における、装置のハードウェア構成及びソフトウェア構成、処理フロー、製造条件、寸法、材質、形状などは、特に特定的な記載がない限りは、本発明の範囲をそれらのみに限定する趣旨のものではない。
【００１７】
本発明は、複数の成膜室に基板を順次搬送しつつ、基板の表面に各種材料を堆積させて
成膜を行う装置に適用することができ、真空蒸着によって所望のパターンの薄膜（材料層）を形成する装置に望ましく適用することができる。基板の材料としては、ガラス、高分子材料のフィルム、金属などの任意の材料を選択することができ、基板は、例えば、ガラス基板上にポリイミドなどのフィルムが積層された基板であってもよい。また、蒸着材料としても、有機材料、金属性材料（金属、金属酸化物など）などの任意の材料を選択してもよい。なお、以下の説明において説明する真空蒸着装置以外にも、スパッタ装置やＣＶＤ（Chemical Vapor Deposition）装置を有する成膜装置にも、本発明を適用することが
できる。本発明の技術は、具体的には、有機電子デバイス（例えば、有機ＥＬ素子、薄膜太陽電池）、光学部材などの製造装置に適用可能である。特に、蒸着材料を蒸発させてマスクを介して基板に蒸着させることで有機ＥＬ素子を形成する有機ＥＬ素子の製造装置は、本発明の好ましい適用例の一つである。
【００１８】
（第１の実施例）
＜電子デバイスの製造装置＞
図１は、電子デバイスの製造装置の一部の構成を模式的に示す平面図である。
【００１９】
図１の製造装置は、例えば、スマートフォン用の有機ＥＬ表示装置の表示パネルの製造に用いられる。スマートフォン用の表示パネルの場合、例えば、４．５世代の基板（約７００ｍｍ×約９００ｍｍ）や６世代のフルサイズ（約１５００ｍｍ×約１８５０ｍｍ）又はハーフカットサイズ（約１５００ｍｍ×約９２５ｍｍ）の基板に、有機ＥＬ素子の形成のための成膜を行った後、該基板を切り抜いて複数の小さなサイズのパネルを製作する。
【００２０】
電子デバイスの製造装置は、一般的に、複数のクラスタ装置１と、クラスタ装置１の間を繋ぐ中継装置２とを有する。
【００２１】
クラスタ装置１は、基板に対する処理（例えば、成膜）を行う複数の成膜装置１１と、使用前後のマスクを収納する複数のマスクストック装置１２と、その中央に配置される搬送室１３と、を具備する。各搬送室１３は、図１に示すように、複数の成膜装置１１及びマスクストック装置１２のそれぞれと接続されている。
【００２２】
搬送室１３内には、基板及びマスクを搬送する搬送ロボット１４が配置されている。搬送ロボット１４は、上流側に配置された中継装置２のパス室１５から成膜装置１１へ基板を搬送する。また、搬送ロボット１４は、成膜装置１１とマスクストック装置１２との間でマスクを搬送する。搬送ロボット１４は、例えば、多関節アームに、基板又はマスクを保持するロボットハンドが取り付けられた構造を有するロボットである。
【００２３】
成膜装置１１（蒸着によって成膜を行う場合には、蒸着装置とも呼ぶ）では、蒸発源に収納された蒸着材料がヒータによって加熱されて蒸発し、マスクを介して基板上に蒸着される。搬送ロボット１４との基板の受け渡し、基板とマスクの相対位置の調整（アライメント）、マスク上への基板の固定、成膜（蒸着）などの一連の成膜プロセスは、成膜装置１１によって行われる。
【００２４】
マスクストック装置１２には、成膜装置１１での成膜工程で使われる新しいマスクと、使用済みのマスクとが、２つのカセットに分けて収納される。搬送ロボット１４は、使用済みのマスクを成膜装置１１からマスクストック装置１２のカセットに搬送し、マスクストック装置１２の他のカセットに収納された新しいマスクを成膜装置１１に搬送する。
【００２５】
基板の流れ方向において、クラスタ装置１の上流側及び／又は下流側に設けられ、基板の搬送や流れを中継する中継装置２は、パス室１５と、バッファ室１６と、旋回室１７のうちの少なくとも一つを有する。中継装置２と、中継装置２内での基板の搬送を制御する
制御手段とを合わせて基板搬送システムと呼ぶ。
【００２６】
パス室１５は、基板の流れ方向における上流側のクラスタ装置１から搬送されてきた基板を下流側に受け渡すか、上流側から搬送されてきた基板を下流側のクラスタ装置１に受け渡す。図１には、パス室１５が下流側のクラスタ装置１に隣接する例を示したが、本発明はこれに限定されず、上流側のクラスタ装置１に隣接するようにパス室１５を設置してもよい。
【００２７】
バッファ室１６は、上流側のクラスタ装置１からの基板を下流側に受け渡す。バッファ室１６は、その上流側のクラスタ装置１と下流側のクラスタ装置１における処理速度の差がある場合、又は、下流側のトラブルの影響で基板を正常に流すことができない場合などに、複数の基板を一時的に収納できるように構成される。例えば、バッファ室１６は、最大８枚の基板を収納することができる基板収納部を有することができる。
【００２８】
搬送室１３の搬送ロボット１４は、上流側のパス室１５から基板を受け取って、クラスタ装置１内の成膜装置１１の一つ（例えば、成膜装置１１ａ）に搬送する。また、搬送ロボット１４は、当該クラスタ装置１での成膜処理が完了した基板を複数の成膜装置１１の一つ（例えば、成膜装置１１ｂ）から受け取って、下流側に連結されたバッファ室１６に搬送する。
【００２９】
バッファ室１６とパス室１５との間には、基板の向きを変える旋回室１７が設置される。旋回室１７には、バッファ室１６から基板を受け取って基板を１８０°回転させ、パス室１５に搬送するための搬送ロボット１８が設けられる。これにより、上流側のクラスタ装置１と下流側のクラスタ装置１で基板の向きが同じになり、基板処理が容易になる。
【００３０】
成膜装置１１、マスクストック装置１２、搬送室１３、バッファ室１６、旋回室１７などは、有機ＥＬ素子の製造の過程で、高真空状態に維持される。パス室１５は、通常は低真空状態に維持されるが、必要に応じて高真空状態に維持されてもよい。
【００３１】
第１の実施例では、図１を参照して、電子デバイスの製造装置の構成について説明したが、本発明はこれに限定されず、他の種類の装置やチャンバを有してもよく、これらの装置やチャンバ間の配置は特に限定されない。例えば、電子デバイス製造装置の一部のクラスタ装置１に繋がる中継装置２においては、バッファ室１６を設けず、旋回室１７の上流側と下流側にそれぞれパス室１５を設けてもよい。また、旋回室１７を設けずに、パス室１５に基板の向きを変える基板回転装置を設けてもよい。
【００３２】
＜基板検査システムと基板検査方法＞
有機ＥＬ素子のような電子デバイスが製造される基板は、前述の電子デバイスの製造装置内で搬送及び処理される過程で、基板に加わる応力や衝撃のため、基板の周縁部から割れ目が入ったり、基板の周縁部の一部が欠けたりすることがある。これらの基板の損傷が原因で、基板全体が破損すると、破損した基板を除去するために、電子デバイスの製造装置全体の稼働が停止する。
【００３３】
基板の破損に起因する電子デバイスの製造装置全体の稼働停止を抑制するため、電子デバイスの製造装置内には、基板の異常又は損傷（例えば、クラックや欠けの有無）を検査する基板検査手段が設置される。第１の実施例では、このような基板検査手段を、クラスタ装置１の間で基板を搬送する基板搬送システムに設置する。第１の実施例においては、基板検査手段を有する基板搬送システムを基板検査システムと呼ぶ。
【００３４】
以下、図２及び図３を参照して、第１の実施例の基板検査システムを説明する。
【００３５】
以下の説明においては、鉛直方向をＺ方向とするＸＹＺ直交座標系を用いる。基板Ｓ又はマスクが水平面（ＸＹ平面）と平行となるよう固定された場合、基板Ｓ又はマスクの長手方向（長辺に平行な方向）をＸ方向（第１の方向）、短手方向（短辺に平行な方向）をＹ方向（第２の方向）とする。また、Ｚ方向（第３の方向）を軸とする回転角をθ（回転方向）で表す。
【００３６】
図２及び図３は、中継装置２のうち、パス室１５に基板Ｓの検査手段２１を設置した基板検査システム２０を示す。ただし、本発明は、これに限定されず、例えば、検査手段２１は、パス室１５の他に、バッファ室１６又は旋回室１７に設置されてもよく、クラスタ装置１の搬送室１３に設置されてもよい。
【００３７】
第１の実施例による基板検査システム２０は、その内部が真空雰囲気又は窒素ガスなどの不活性ガス雰囲気に維持される真空容器２２と、真空容器２２内（容器内）に搬入された基板Ｓが支持される基板支持機構２３と、基板Ｓを検査するための検査手段２１と、真空容器２２内に搬入された基板Ｓの位置情報を表す基板位置情報を取得するための基板位置情報取得手段２４と、基板位置情報取得手段２４によって取得された基板位置情報に基づいて、検査手段２１及び基板支持機構２３の少なくとも一つを駆動するための駆動手段２５と、基板検査システム２０での基板の搬送と検査動作を制御する制御手段２６と、を有する。
【００３８】
真空容器２２は、その内部を真空状態に排気するための真空ポンプ（不図示）と連結される。第１の実施例による基板検査システム２０は、真空容器２２の内部を低真空状態（例えば、１０−３Ｔｏｒｒ以下の範囲内）で排気するラフ排気用ポンプを有し、必要に応じて、真空容器２２内部を高真空状態（例えば、１０−８Ｔｏｒｒ以下の範囲内）に排気するための高真空排気用ポンプ（例えば、クライオポンプ）を有してもよい。
【００３９】
基板Ｓの搬送方向（第１の方向）における真空容器２２の上流側には、例えば、旋回室１７との間に基板搬入口２２１が設置され、真空容器２２の下流側には、例えば、搬送室１３との間に、基板搬出口２２２が設置される。基板搬入口２２１と基板搬出口２２２は、ゲートバルブによって構成する。
【００４０】
旋回室１７の搬送ロボット１８によって真空容器２２内に搬入された基板Ｓは、基板支持機構２３に支持される。ここでは、基板Ｓは基板Ｓの主面（被処理面）が鉛直方向に垂直な状態で搬送されているため、基板支持機構２３は基板Ｓを重力方向下方から支持する支持台や、複数の支持ピン（支持具）であってもよい。したがって以下の説明においては、基板支持機構２３によって基板Ｓが支持されることを、基板Ｓが基板支持機構２３に載置される、などと表現することもあるが、本発明はこれに限定はされない。例えば、基板Ｓは立てられた状態で基板支持機構２３によって支持されてもよい。基板支持機構２３は、旋回室１７の搬送ロボット１８によって搬入されてきた基板Ｓを、その下流側の搬送室１３の搬送ロボット１４によって搬出する前に一時的に支持しておくための手段であって、搬送ロボット１４、１８との間で基板Ｓのやりとりを中継する。
【００４１】
つまり、上流側の旋回室１７の搬送ロボット１８が、基板Ｓを基板搬入口２２１を介して、真空容器２２内に搬入して、基板支持機構２３上に基板Ｓを載置して退避すると、下流側の搬送室１３の搬送ロボット１４が、基板搬出口２２２を介して真空容器２２内に進入して、基板支持機構２３上の基板Ｓを持ち上げて搬出する。これにより、搬送ロボット１４、１８の間で直接に基板Ｓをやりとりする構成より安定的に基板の搬送を行うことができる。
【００４２】
基板支持機構２３は、基板Ｓの成膜面（下面）の周縁部を複数の支持具（不図示）によって支持する。
【００４３】
図２及び図３では、基板支持機構２３が真空容器２２に固定される例を示したが、本発明はこれに限定されず、基板支持機構２３は、基板搬送方向である第１の方向に移動可能に設置してもよい。例えば、モータとボールねじ、又は、モータとリニアガイドを用いて、基板支持機構２３を第１の方向に移動可能に設置することができる。
【００４４】
基板支持機構２３が第１の方向に移動可能に設置される場合、基板支持機構２３は、旋回室１７の搬送ロボット１８から基板Ｓを受け取る際には、基板搬入口２２１の近くの位置に移動し、基板Ｓが載置されると、第１の方向に移動して、基板搬出口２２１の近くまで移動する。基板Ｓが載置された基板支持機構２３が、基板搬出口２２１の近くの位置まで移動して停止すると、基板搬出口２２２を介して下流側の搬送室１３の搬送ロボット１４が、基板支持機構２３上の基板Ｓを搬出する。
【００４５】
また、後述のように、基板支持機構２３は、第１の方向と交差する第２の方向と、第１の方向及び第２の方向と交差する第３の方向を軸とした回転方向にも移動可能に設置されてもよい。
【００４６】
検査手段２１は、基板Ｓの表面を光学的に検査して、基板Ｓの異常（例えば、クラックや欠け）の有無）を検査する。例えば、検査手段２１は、レーザセンサで構成することができる。具体的には、検査手段２１は、光照射手段としてのレーザ光源部と、レーザ受光部と、を有する。レーザ光源部から放出されたレーザは、基板Ｓのエッジやクラックで回折又は散乱する。これをレーザ受光部により検出することで、基板Ｓのエッジにおける欠損の有無や、クラックの有無を検査することができる。
【００４７】
検査手段２１として用いられるレーザセンサは、レーザ光のビーム形状に応じて、スポット型、ライン型、エリア型などを使用することができる。
【００４８】
検査手段２１は、図２に示すように、真空容器２２の鉛直方向の上面の外側（大気側）に設置される。検査手段２１は、真空容器２２の上面に設置された窓を介してレーザ光を基板Ｓの被検査領域（例えば、基板Ｓの周縁部）に照射することができる。なお、検査手段２１は真空容器２２の鉛直方向の下面の外側（大気側）に設置されてもよい。検査手段２１としてレーザセンサを用いる場合には、レーザセンサを構成するレーザ光源とレーザ受光部を真空容器２２に対して同じ側に（例えば、両者を真空容器２２の鉛直方向の上面の外側に）設置して、反射型のレーザセンサとしてもよい。あるいは、レーザ光源とレーザ受光部を真空容器２２を挟んで対向するように設置（例えば、レーザ光源を真空容器２２の鉛直方向の上面の外側に設置し、レーザ受光部を真空容器２２の鉛直方向の下面の外側に設置）して透過型のレーザセンサとしてもよい。
【００４９】
検査手段２１は、第１の方向において、基板位置情報取得手段２４よりも下流側に設置される。例えば、検査手段２１は、真空容器２２の中央部を基準に、基板搬出口２２２側（基板搬出口側）にオフセットして設置される。
【００５０】
また、検査手段２１は、図３に示すように、基板Ｓの周縁部の位置に対応する位置に複数個が設置される。図３には、基板Ｓの２つの長辺の位置に対応する位置に２つの検査手段２１がそれぞれ設置されている例を示したが、本発明はこれに限定されず、例えば、基板Ｓのそれぞれの長辺に対応する位置に、長辺方向（第１の方向）に沿って複数の検査手段２１をそれぞれ設置してもよく、基板Ｓの短辺に対応する位置にも検査手段２１を設置してもよい。
【００５１】
検査手段２１は、基板Ｓの搬送方向である第１の方向には固定され、第１の方向と交差する第２の方向においては、移動あるいは角度回転可能に設置される。なお、「第２の方向に回転」とは、第１の方向（Ｘ軸）に垂直な面内で第１の方向（Ｘ軸）を軸とする回転を意味するものとする。
【００５２】
検査手段２１が第１の方向に固定されていても、基板Ｓが搬送室１３の搬送ロボット１４又は基板支持機構２３によって第１の方向に搬送されるので、基板Ｓの長辺に沿ってクラックや欠けの有無を検査することができる。つまり、検査手段２１は、基板支持機構２３上に載置された基板Ｓを搬送室１３の搬送ロボット１４が持ち上げ、第１の方向に搬送する間に、基板Ｓの長辺に沿ってクラックや欠損の有無を検査する。基板支持機構２３が第１の方向に移動可能な構成においては、検査手段２１は、基板Ｓが、基板支持機構２３上に載置された状態で、基板支持機構２３の第１の方向への移動により、第１の方向に搬送される間に、基板Ｓの長辺に沿ってクラックや欠損の有無を検査するように構成してもよい。
【００５３】
また、第１の実施例では、検査手段２１が第２の方向に移動又は角度回転可能に設置されるので、基板Ｓが、基板検査システム２０に搬入される際に、搬送誤差などによって定められた位置や姿勢からずれて搬入されても、例えば、第２の方向にずれて搬入されても、検査手段２１を第２の方向に移動させたり、検査手段２１を回転させたりすることによって、検査手段２１の検査領域（レーザセンサの場合、レーザの照射領域）を第２の方向に移動させることができるため、基板（Ｓ）の長辺に沿ってクラックの有無などを検査することができる。
【００５４】
検査手段２１がレーザセンサで構成される例を説明したが、本発明はこれに限定されず、検査手段２１は、カメラのような他の光学手段であってもよい。この場合には、基板Ｓの周縁部を撮像し、画像処理によって、クラックや欠損の有無を検査する。
【００５５】
基板位置情報取得手段２４は、真空容器２２内に搬入された基板Ｓの位置情報を取得する。特に、第１の実施例においては、基板Ｓの基板支持面に平行な第２の方向における位置に関する情報を取得する。このため、基板位置情報取得手段２４は、カメラやライン型レーザセンサを用いて構成することができる。
【００５６】
例えば、基板位置情報取得手段２４がカメラである場合には、カメラで基板Ｓを撮像し、その画像の画像認識処理によって、第２の方向における基板Ｓのエッジ（つまり、両方の長辺）の位置情報を取得することができる。図３には、基板位置情報取得手段２４を１台のカメラで構成する構成を示したが、本発明はこれに限定されず、複数のカメラで、例えば、進入する基板Ｓの２つのコーナー部を撮像して画像処理により基板Ｓの第２の方向の位置情報を取得してもよい。
【００５７】
ライン型レーザセンサを使用する場合には、図３に示すように、第２の方向にライン型レーザセンサを配置して、基板Ｓに線状のレーザ光を照射して基板Ｓ（のエッジ）の第２の方向における位置情報を取得することができる。
【００５８】
基板位置情報取得手段２４は、検査手段２１と同様に、真空容器２２に設置された窓を介して基板Ｓを撮像できるように、真空容器２２の上面の外側（大気側）に設置される。なお、基板位置情報取得手段２４も、真空容器２２の下面の外側（大気側）に設置されてもよい。
【００５９】
また、図２及び図３に示すように、基板位置情報取得手段２４は、第１の方向において
、検査手段２１よりも上流側に設置される。つまり、基板位置情報取得手段２４は、真空容器２２の中央を基準に、真空容器２２の基板搬入口２２１側（基板搬入口側）にオフセットして設置される。これにより、基板Ｓが検査手段２１の検査可能エリアに入る前に、事前に基板Ｓの第２の方向における位置情報を取得し、これに基づいて検査手段２１を駆動することができる。すなわち、基板Ｓが搬送ロボット１８によって真空容器２２内に第１の方向に搬送され、進入するとき、基板Ｓの第２の方向における位置情報を取得することができ、基板Ｓの位置情報取得にかかる時間を短縮することができる。
【００６０】
ただし、本発明はこれに限定されず、例えば、基板Ｓが搬送ロボット１８によって、基板支持機構２３に載置された後に、基板Ｓの位置情報を取得するように、基板位置情報取得手段２４を設置してもよい。基板Ｓの位置情報を、搬送ロボット１８によって基板Ｓが真空容器２２内に搬入される過程で取得するのではなく、基板支持機構２３に載置された後に取得することで、搬送ロボット１８と基板支持機構２３との間で基板Ｓをやりとりする過程で生じる搬送誤差も反映された基板Ｓの位置情報を取得することができる。したがって、検査手段２１の位置をより精密に基板Ｓの位置に合わせることができ、基板Ｓの検査精度を向上させることができる。
【００６１】
基板位置情報取得手段２４は、第３の方向を軸とする回転方向の基板Ｓの位置情報を取得することもできる。例えば、基板Ｓの対角上の２つのコーナー部をカメラで撮像し、画像処理をすることで、基板Ｓの回転方向における位置情報を取得することができる。
【００６２】
駆動手段２５は、基板位置情報取得手段２４によって取得された基板Ｓ（エッジ）の位置情報（例えば、第２の方向における位置情報）に基づいて、検査手段２１を第２の方向に移動させたり、第１の方向を軸に回転させたりして（つまり、検査手段２１の角度を第２の方向を含み第１の方向に垂直な面内で調整して）、検査手段２１の検査領域を第２の方向に移動させる。つまり、駆動手段２５は、基板位置情報に基づいて、搬送される基板Ｓと検査手段２１の相対位置を調整する調整手段として機能する。このため、駆動手段２５は、モータ及び／又はボールねじやリニアガイドを有する。なお、駆動手段２５の構成はこれに限定はされず、検査手段２１を移動又は回転（後述する第２の実施例においては基板支持機構２３を移動又は回転）させることができる構成であれば、従来公知のいかなる構成であってもよい。
【００６３】
前述したように、有機ＥＬ表示装置などの電子デバイスの製造装置では、基板Ｓを、搬送室１３の搬送ロボット１４や旋回室１７の搬送ロボット１８のような搬送ロボットにより、成膜装置１１とパス室１５やバッファ室１６との間で、また、パス室１５とバッファ室１６との間で搬送する。ところが、この過程で、搬送ロボット１４、１８による基板搬送の繰り返し精度（つまり、搬送ロボットが基板を搬送するたびに、基板を同じ場所に搬送する精度）が低い場合には、基板Ｓが搬送ロボット１４、１８によって搬送されるたびに、基板Ｓが定められた位置に搬送されず、毎回異なる位置に搬送される可能性がある。
【００６４】
ところで、従来技術のように、検査手段２１がパス室１５の基板搬出口２２２の付近に第２の方向に固定して設置される場合には、基板のクラックや欠けの有無（クラックや欠けは通常、基板のエッジから始まり、その内部に進行する）をより正確に検査するために、検査手段２１を可能な限り、基板のエッジ（例えば、長辺）に近い位置に設置する。したがって、旋回室１７の搬送ロボット１８によって真空容器２２内に搬入される基板Ｓの長辺の位置が第２の方向における検査手段２１の位置からずれる場合には、基板Ｓの長辺におけるクラックや欠けの有無を検査することができない場合があり得る。
【００６５】
本発明では、この問題を解決するために、基板検査システム２０の真空容器２２の搬入口２２１の近くに基板の第２の方向における位置を検出するための基板位置情報取得手段
２４を設置し、これにより取得された基板Ｓの第２の方向における位置情報に基づいて、検査手段２１を駆動手段２５によって第２の方向に移動させるか、その検査領域が第２の方向に移動するように検査手段２１を回転駆動する。
【００６６】
このような構成によれば、基板Ｓが横方向（第２の方向）にずれた状態で基板検査システム２０内に搬入されても、検査手段２１を第２の方向におけるずれ量だけ移動又は回転させることで、基板Ｓの長辺を常に高精度に検査することができる。
【００６７】
搬送ロボット１４、１８による搬送誤差は、第２の方向にのみ発生するのではなく、例えば、基板Ｓが第１の方向に対し第１の方向と第２の方向を含む面内で傾いた状態（すなわち、第３の方向を軸として回転した状態）で、基板検査システム２０内に搬入されることもありうる。このような場合にも、基板Ｓの長辺に沿ってクラックや欠けの有無を検査することができるようにするために、基板位置情報取得手段２４を、Ｚ方向（第３の方向）を軸とした基板Ｓの回転角度を検出できるように設置してもよい。
【００６８】
また、基板Ｓが第３の方向を軸に回転した状態で搬入される場合には、単に、検査手段２１を駆動手段２５によって第２の方向に１回だけ移動させたり回転させたりするだけでは、基板Ｓの長辺の全体にわたってクラックや欠損の有無を検査することができない可能性がある。この場合、駆動手段２５は、検査手段２１の第２の方向における位置や角度を連続的又は断続的に変化させるように駆動する。より具体的には、駆動手段２５は、基板Ｓの搬送速度、例えば、搬送室１３の搬送ロボット１４が、基板検査システム２０の基板支持機構２３上に載置された基板Ｓを搬出する速度に応じて、検査手段２１の第２の方向における位置や角度を連続的又は断続的に変化させるように駆動する。これにより、基板Ｓが単に第２の方向に平行にずれた場合だけでなく、第１の方向及び第２の方向を含む面内で、例えば、基板支持機構２３の基板Ｓの載置面内で第３の方向を軸に回転した場合にも、基板Ｓの長辺に沿ってクラックや欠損の有無を検査することができる。
【００６９】
制御手段２６は、このような基板検査システム２０内での基板Ｓの搬送及び検査動作を制御する。つまり、制御手段２６は、基板位置情報取得手段２４によって取得された基板Ｓのエッジ部やコーナー部の撮像画像から、基板Ｓが所定の位置（基準位置）からずれた量（ΔＸ、Δθ）を算出する。算出された相対的位置ずれ量に基づいて、駆動手段２５が検査手段２１を第２の方向に移動又は回転駆動するように制御する。基板が回転方向にもずれた場合、制御手段２６は、基板Ｓの搬送速度も考慮して、駆動手段２５を制御する。
【００７０】
第１の実施例では、基板検査システム２０が制御手段２６を有する構成を例に説明したが、本発明はこれに限定されず、クラスタ装置１の動作を制御する制御部が上述した制御手段２６の制御を行うようにしてもよい。
【００７１】
（第２の実施例）
第１の実施例では、駆動手段２５によって検査手段２１の位置や角度を第２の方向に調整する構成を例示的に説明したが、本発明はこれに限定されず、検査手段２１は、真空容器２２に固定して設置し、その代わりに、基板支持機構２３を駆動手段２５によって、第２の方向及び／又は回転方向に移動又は回転させる構成としてもよい。
【００７２】
第２の実施例においては、図４に示すように、基板Ｓが真空容器２２内に搬入されて基板支持機構２３上に載置された後、基板Ｓの位置情報を、例えば、基板Ｓの対角線上の２つのコーナー部に対応する位置に設置された基板位置情報取得手段２４によって取得する。
【００７３】
制御手段２６は、取得された基板Ｓの位置情報を基板Ｓの基準位置（この基準位置は、
検査手段２１の位置に合うように設定される）と対比して、基板Ｓの位置ずれ量を算出する。算出された位置ずれ量に基づいて、駆動手段２５によって、基板支持機構２３を駆動して、基板Ｓの位置調整を行う。この場合、検査手段２１は、移動する必要がなくなり、第２の方向おいて固定された位置で、基板Ｓを検査することができる。
【００７４】
第２の実施例によれば、基板Ｓの位置情報を、搬送ロボット１８によって基板Ｓが真空容器２２内に搬入される過程で取得するのではなく、基板支持機構２３に載置された後に取得するので、搬送ロボット１８と基板支持機構２３との間で基板をやりとりする過程で生じる搬送誤差も反映させて基板Ｓの位置を調整することができる。したがって、より精密に基板Ｓの位置を調整して、基板Ｓの検査精度を向上させることができる。そのために、駆動手段２５を第１の実施例とは異なり、基板支持機構２３は、第２の方向だけでなく、Ｚ方向を軸とした回転方向にも駆動できるように構成される。
【００７５】
第２の実施例で用いられる駆動手段２５は、図４に示すように、基板検査システム２０の真空容器２２の下面の外側（大気側）に設置される。駆動手段２５は、成膜装置１１において基板アライメントに用いられる通常のアライメントステージ機構と同様に構成することができる。例えば、２つのＸ方向のサーボモータ、１つ又は２つのＹ方向サーボモータを有するように構成することができる。第２の実施例の駆動手段２５は、基板支持機構２３と、真空容器２２の下面を介して、シャフト２５１によって連結される。
【００７６】
この場合、基板位置情報取得手段２４は、真空容器２２の上面ではなく、下面に設置された窓を介して基板Ｓを撮像できるように、真空容器２２の下面の外側（大気側）に設置されることが好ましい。
【００７７】
以下、第１の実施例による基板検査システム２０を使用して基板を検査する方法について説明する。
【００７８】
まず、上流側のクラスタ装置１（第１のクラスタ装置）に備わる成膜装置１１で第１の蒸着材料（例えば、後述する発光層の有機材料）の成膜が完了した基板Ｓが、上流側のクラスタ装置１の搬送室１３の搬送ロボット１４によって、バッファ室１６に搬送されると、旋回室１７の搬送ロボット１８は、バッファ室１６に搬送された基板Ｓを基板面に垂直方向（Ｚ方向）を軸に１８０°回転させた後、基板検査システム２０内に搬送する。つまり、搬送ロボット１８が、基板搬入口２２１を介して、真空容器２２内に基板Ｓを搬入する（Ｓ１）。
【００７９】
この際、第１の実施例による基板検査システム２０では、搬送ロボット１８のロボットハンド上で真空容器２２内に進入する基板Ｓの位置に関する情報を基板位置情報取得手段２４によって取得する。取得された基板Ｓの位置情報は、少なくとも第２の方向における基板Ｓの位置情報を有する（Ｓ２）。
【００８０】
搬送ロボット１８によって搬入された基板Ｓは、基板支持機構２３上に載置され、基板支持機構２３によって支持される（Ｓ３）。
【００８１】
一方、制御手段２６は、基板位置情報取得手段２４によって取得された基板Ｓの位置情報、特に、第２の方向における基板Ｓの位置情報に基づいて、基板Ｓが所定の位置（基準位置）から第２の方向にずれた距離を算出する。算出された位置ずれ量に基づいて、駆動手段２５を駆動して、検査手段２１の第２の方向における位置又は照射角度を調整する（Ｓ４）。
【００８２】
下流側の搬送室１３の搬送ロボット１４が、基板検査システム２０の基板搬出口２２２
を介して真空容器２２内に進入して、基板支持機構２３上に載置された基板Ｓを下面から持ち上げて、第１の方向に搬送する。このとき、位置が調整された検査手段２１の下方を基板Ｓが搬送され、基板Ｓの長辺に沿ってクラックや欠損の有無が検出される（Ｓ５）。
【００８３】
第１の実施例によれば、基板Ｓの第２の方向における位置ずれに応じて、検査手段２１の第２の方向における位置が既に調整されているので、基板Ｓの長辺側に沿って高精度にクラックや欠損の有無を検出することができる。
【００８４】
第１の実施例では、基板Ｓが搬送ロボット１８によって真空容器２２内に進入される過程で、基板Ｓの第２の方向における位置に関する情報を取得する例を説明したが、本発明は、これに限定されず、基板Ｓが、基板支持機構２３に載置された後、基板Ｓの位置情報を取得してもよい。この場合、基板Ｓが搬送ロボット１８から基板支持機構２３に渡される過程で生じる搬送誤差も反映された基板Ｓの位置情報を取得することができるので、検査手段２１の位置をより精密に基板Ｓの位置に合わせて調整することができる。
【００８５】
また、第１の実施例では、取得された基板Ｓの位置情報に基づいて、検査手段２１の位置を調整する例を説明したが、第２の実施例においては、基板支持機構２３を駆動手段２５により駆動して、固定された検査手段２１の位置に合わせる。この過程で、基板Ｓ自体の位置、姿勢、又は向きが調整できる（つまり、基板Ｓを基板検査システム２０でプリアライメントすることができる）ので、下流側のクラスタ装置１で成膜工程を行うに当たって、基板アライメントにかかる時間を短縮することができ、成膜精度を高めることができる。
【００８６】
＜電子デバイスの製造方法＞
次に、第１又は第２の実施例の成膜装置を用いた電子デバイスの製造方法の一例を説明する。以下、電子デバイスの例として有機ＥＬ表示装置の構成及び製造方法を例示する。
【００８７】
まず、製造する有機ＥＬ表示装置について説明する。図５（ａ）は有機ＥＬ表示装置５０の全体図、図５（ｂ）は１画素の断面構造を表している。
【００８８】
図５（ａ）に示すように、有機ＥＬ表示装置５０の表示領域５１には、発光素子を複数備える画素５２がマトリクス状に複数配置されている。詳細は後で説明するが、発光素子のそれぞれは、一対の電極に挟まれた有機層を備えた構造を有している。なお、ここでいう画素とは、表示領域５１において所望の色の表示を可能とする最小単位を指している。第１又は第２の実施例にかかる有機ＥＬ表示装置の場合、互いに異なる発光を示す第１発光素子５２Ｒ、第２発光素子５２Ｇ、第３発光素子５２Ｂの組み合わせにより画素５２が構成されている。画素５２は、赤色発光素子と緑色発光素子と青色発光素子の組み合わせで構成されることが多いが、黄色発光素子とシアン発光素子と白色発光素子の組み合わせでもよく、少なくとも１色以上であれば特に限定されるものではない。
【００８９】
図５（ｂ）は、図５（ａ）のＡ−Ｂ線における部分断面模式図である。画素５２は、基板５３上に、第１の電極（陽極）５４と、正孔輸送層５５、発光層５６Ｒ、５６Ｇ、５６Ｂのいずれかと、電子輸送層５７と、陰極５８と、を備える有機ＥＬ素子を有している。これらのうち、正孔輸送層５５、発光層５６Ｒ、５６Ｇ、５６Ｂ、電子輸送層５７が有機層に当たる。また、第１又は第２の実施例では、発光層５６Ｒは赤色を発する有機ＥＬ層、発光層５６Ｇは緑色を発する有機ＥＬ層、発光層５６Ｂは青色を発する有機ＥＬ層である。発光層５６Ｒ、５６Ｇ、５６Ｂは、それぞれ赤色、緑色、青色を発する発光素子（有機ＥＬ素子と記述する場合もある）に対応するパターンに形成されている。また、第１の電極５４は、発光素子ごとに分離して形成されている。正孔輸送層５５と電子輸送層５７と第２の電極５８は、複数の発光素子５２Ｒ、５２Ｇ、５２Ｂと共通で形成されていても
よいし、発光素子ごとに形成されていてもよい。なお、第１の電極５４と第２の電極５８とが異物によってショートするのを防ぐために、第１の電極５４間に絶縁層５９が設けられている。さらに、有機ＥＬ層は水分や酸素によって劣化するため、水分や酸素から有機ＥＬ素子を保護するための保護層６０が設けられている。
【００９０】
図５（ｂ）では正孔輸送層５５や電子輸送層５７が一つの層で示されているが、有機ＥＬ表示素子の構造によって、正孔ブロック層や電子ブロック層を有する複数の層で形成されてもよい。また、第１の電極５４と正孔輸送層５５との間には第１の電極５４から正孔輸送層５５への正孔の注入が円滑に行われるようにすることのできるエネルギーバンド構造を有する正孔注入層を形成することもできる。同様に、第２の電極５８と電子輸送層５７の間にも電子注入層が形成されことができる。
【００９１】
次に、有機ＥＬ表示装置の製造方法の例について具体的に説明する。
【００９２】
まず、有機ＥＬ表示装置を駆動するための回路（不図示）及び第１の電極５４が形成された基板５３を準備する。なお、基板５３は特に限定はされず、ガラス、プラスチック、金属などで構成することができる。基板５３は、ガラス基板上にポリイミドなどのフィルム基板が積層された基板であってもよい。
【００９３】
第１の電極５４が形成された基板５３の上にアクリル樹脂をスピンコートで形成し、アクリル樹脂をリソグラフィ法により、第１の電極５４が形成された部分に開口が形成されるようにパターニングし絶縁層５９を形成する。この開口部が、発光素子が実際に発光する発光領域に相当する。
【００９４】
絶縁層５９がパターニングされた基板５３を第１の成膜装置に搬入し、基板保持ユニットにて基板を保持し、正孔輸送層５５を、表示領域の第１電極５４の上に共通する層として成膜する。正孔輸送層５５は真空蒸着により成膜される。実際には正孔輸送層５５は表示領域５１よりも大きなサイズに形成されるため、高精細なマスクは不要である。
【００９５】
次に、正孔輸送層５５までが形成された基板５３を第２の成膜装置に搬入し、基板保持ユニットにて保持する。基板５３とマスクとのアライメントを行い、基板をマスクの上に載置し、基板５３の赤色を発する素子を配置する部分に、赤色を発する発光層５６Ｒを成膜する。第１又は第２の実施例によれば、基板が搬送室１３内の搬送ロボット１４によって、クラスタ装置１に搬入される前に、基板検査システム２０において、基板の周縁部にクラックや欠けがあるかを高精密に検査する。これにより、基板Ｓ全体の破損を防止することができる。
【００９６】
発光層５６Ｒの成膜と同様に、第３の成膜装置により緑色を発する発光層５６Ｇを成膜し、さらに第４の成膜装置により青色を発する発光層５６Ｂを成膜する。発光層５６Ｒ、５６Ｇ、５６Ｂの成膜が完了した後、第５の成膜装置により表示領域５１の全体に電子輸送層５７を成膜する。電子輸送層５７は、３色の発光層５６Ｒ、５６Ｇ、５６Ｂに共通の層として形成される。
【００９７】
電子輸送層５７までが形成された基板を第６の成膜装置に移動し、第２電極５７を成膜し、その後プラズマＣＶＤ装置に移動して保護層６０を成膜して、有機ＥＬ表示装置５０が完成する。
【００９８】
絶縁層５９がパターニングされた基板５３を成膜装置に搬入してから保護層６０の成膜が完了するまでは、水分や酸素を含む雰囲気にさらしてしまうと、有機ＥＬ材料からなる発光層が水分や酸素によって劣化してしまうおそれがある。したがって、第１又は第２の
実施例において、成膜装置間の基板の搬入搬出は、真空雰囲気又は不活性ガス雰囲気の下で行われる。
【００９９】
上記実施形態及び実施例は本発明の一例を示したものであり、本発明は上記実施形態及び実施例の構成に限られず、その技術思想の範囲内において適宜変形しても構わない。
【符号の説明】
【０１００】
２０：基板検査システム
２１：検査手段
２２：真空容器（容器）
２３：基板支持機構
２４：基板位置情報取得手段
２５：駆動手段
【図１】
2020003469.tif 000003
【図２】
2020003469.tif 000004
【図３】
2020003469.tif 000005
【図４】
2020003469.tif 000006
【図５】
2020003469.tif 000007